(57)【要約】【課題】建物や施設等に設置された行き先を表示して案内する表示体の管理を容易に行うことができるサイン管理システムの提供を目的とする。【解決手段】サインマスターファイル２は、個々の表示体についての設置場所、形状、材質、表示している文字情報、設置時期、設置費用等所要の情報を表示体ごとに予め記録している。ユーザーはサインマスターファイル２に接続するコンピュータ端末から検索プログラム４を用いて所望の情報を抽出することができる。サイン管理システム１は更に見積書作成プログラム６を備えており、このプログラムは、文字情報等が変更される表示体について文字情報等変更の費用の見積に必要な情報をサインマスターファイル２から抽出し、該抽出した情報に基づいて見積額を算出し見積書を作成する。【選択図】図１
2005071257.tif 000002
【特許請求の範囲】
【請求項１】
建物や施設に設置され、施設名称表示、行き先を表示する誘導案内、施設等の利用方法を表示する説明案内、注意表示又は室名表示等の表示体を建物や施設ごとに総合的に管理するシステムであって、個々の前記表示体についての設置場所、形状、材質、表示している文字情報、設置時期、設置費用等の情報を表示体ごとに予め記録してなるマスターファイルと、このマスターファイルの中から所望する情報を抽出する検索プログラムとからなり、ユーザーが前記マスターファイルに接続するコンピュータ端末から前記検索プログラムを用いて所望の表示体の情報を抽出することを特徴とするサイン管理システム。
【請求項２】
サイン管理システムは更に見積書作成プログラムを備えており、該プログラムは、文字情報等が変更される表示体について文字情報等変更の費用の見積に必要な表示体の情報を前記マスターファイルから抽出し、該抽出した情報に基づいて見積額を算出し見積書を作成するようにしたことを特徴とする請求項１に記載のサイン管理システム。
【請求項３】
表示体の文字情報等が変更されるメインテナンスが実施されるとその情報データと変更のための費用データがマスターファイルに対し追加・変更されることを特徴とする請求項１に記載のサイン管理システム。
【発明の詳細な説明】
【技術分野】
【０００１】
本発明は、建物や施設に設置されその施設名称、ビル名称、社名、テナント名称、部署名、室名等の行き先を表示して案内する個々の表示体と、その体系としてのシステムの管理に関するものである。
【背景技術】
【０００２】
従来、公園、公共施設、病院、ビル内等において、施設名称表示、誘導案内、利用方法の説明案内、規制するための注意表示等を、文字やピクトグラム（絵文字）や矢印で表示して案内する表示体は、サインと呼ばれ、種々のものが知られている（例えば特許文献１参照）。従来、これらサインを管理する者は、自己の管理する領域のどの場所にどのような形状、文字情報のサインがあるかなどを調べ、全体像を把握するには予めサイン業者などから渡されている図面や膨大な資料に頼るしか方法がなかった。
【特許文献１】特開２０００−２９４０８号公報（第１ページ、第１図）
【発明の開示】
【発明が解決しようとする課題】
【０００３】
サインを管理するための図面や資料は複雑で、サイン管理者は、自己の管理する領域のサインの全体像を簡単に把握することができなかった。また、各部署名・番組プロジェクト名の変更などがあると、これに伴い関連サインの修正を速やかに行う必要があるが、関連サインがどの場所にあり、且つ、それがどのような形状、材質で、設置した業者が誰で、設置費用はいくらであったかなどの情報を把握するのが容易でなかった。また、サインの修正の費用がどの位かかるかなどの情報を速やかに入手する必要があるが、この見積額の予想を簡単に行うことができないという問題点があった。
本発明は、上述した課題を解決することができるサイン管理システムの提供を目的とする。
【課題を解決するための手段】
【０００４】
上記目的を達成するため、本発明のサイン管理システムは、建物や施設に設置され、施設名称表示、行き先を表示する誘導案内、施設等の利用方法を表示する説明案内、注意表示又は室名表示等の表示体を建物や施設ごとに総合的に管理するシステムであって、個々の前記表示体についての設置場所、形状、材質、表示している文字情報、設置時期、設置費用等の情報を表示体ごとに予め記録してなるマスターファイルと、このマスターファイルの中から所望する情報を抽出する検索プログラムとからなり、ユーザーが前記マスターファイルに接続するコンピュータ端末から前記検索プログラムを用いて所望の表示体の情報を抽出するようにしたものである。
【０００５】
また本発明の前記サイン管理システムは、更に見積書作成プログラムを備えており、該プログラムは、文字情報等が変更される表示体について文字情報等変更の費用の見積に必要な表示体の情報を前記マスターファイルから抽出し、該抽出した情報に基づいて見積額を算出し見積書を作成するようにしたものである。
【０００６】
また本発明の前記サイン管理システムは、表示体の文字情報等が変更されるメインテナンスが実施されるとその情報データと変更のための費用データがマスターファイルに対し追加・変更されるようにしたものである。
【発明の効果】
【０００７】
本発明のサイン管理システムによれば、表示体（サイン）の全体像を簡単かつ確実に把握することができ、サインの管理を容易に行うことができる。
【発明を実施するための最良の形態】
【０００８】
図２は、本発明に係る実施形態のサイン管理システム１を示すものであり、サインマスターファイル２と、データベース検索プログラム４と、見積書作成プログラム６と、作業指示書作成プログラム８と、これらのプログラムを制御する制御部１０と、データを入出力するための入出力部１２とから構成され、これらはコンピュータアプリケーションソフトウェアの形式でコンピュータに格納されている。サインマスターファイル２には、詳細なサイン情報が記録されている。
【０００９】
サイン情報は、表示体（サイン）ごとに、ＩＤ（識別番号、アイテムＮｏ．）、種別、設置場所、形状、材質、表示している文字情報（絵文字であれば、その内容情報）、表示方法（印刷・シート貼り・彫刻等）、設置時期、設置費用、設置業者名等から構成され、データベース化されている。特に、設置時期、設置費用、設置業者名等を入力しておくことで、メインテナンス計画を容易にすることができる。検索プログラム４を駆動した時の、コンピュータの画面に表示されるサイン管理メインメニューには、サインＩＤ、デザイン、設置業者名などの一覧を表示するための「サイン一覧」、文字、デザイン、場所、サインＩＤ、設置業者などの一覧を表示するための多層構造の「サイン一覧（表示文字列）」、「サイン登録」、「サイン修正」、「サイン削除」の各表示の付いたボタンが設けられ、ユーザー（サイン管理人）が、これらの中、所望のボタンを押すと、各ボタンに対応したサイン情報が画面に表示される。
【００１０】
この画面表示によって、ユーザーは、どのような表示のサインが、どこに設けられているか、それらのサインの材質、形状、デザイン、設置業者名等のサイン情報を簡単に知ることができる。
本システムの管理者は、図１のフローチャートに示すように、自己の管理する領域内の表示体に関し、例えば、第１制作部を第１製作技術部に変更などの、表示変更の要請や表示変更の必要性が発生すると、本システムに格納されている検索プログラムの検索機能を用いて、修正情報から修正すべき表示体の一覧をサインマスターファイル２から抽出し、コンピュータの画面に表示する（ステップ１）。
【００１１】
この抽出データは、例えば、修正すべき表示体のデザイン情報、取り付け場所情報、数量情報、形状情報、材質情報、色情報、文字情報、メーカー情報、設置費用情報などであり、サイン管理者は、これらの情報により、修正すべきサインアイテムの設置場所、数量、形状、表示してある情報内容、修正方法、修正にかかる費用等を明確に把握することができる。次にサイン管理者は、見積書作成プログラム６を駆動する。この見積書作成プログラム６は修正すべきサインアイテムの作成工事費の見積もりに必要な記入欄を備えた見積データ入力画面をコンピュータの画面に表示する。サイン管理者がこの画面に所要のデータを入出力部１２から書き込むと、見積書作成プログラム６は、予めサインマスターファイル２に格納されている価格データを検索し、所要の計算を行って、見積書を作成し出力する（ステップ２）。
【００１２】
これに基づき、サイン管理者は、表示体の修正に要する予算を把握し、サイン業者に工事を発注するときの資料とする。工事が実施され（ステップ３）、表示体の表示が修正されると、サイン管理者は、検索プログラム４を駆動し、修正した表示体に対応するサインマスターファイル２内のデータを修正し、サインマスターファイル２に登録する（ステップ４）。コンピュータは、サイン管理者の保存用として、修正一覧表を出力する（ステップ５）。尚、図２に示すように、本システム１に作業指示書作成プログラム８を設けておけば、該作業指示書作成プログラム８は、サインマスターファイル２から所要のデータを抽出し、工事の実施に際して作業指示書を作成することができる。
【００１３】
尚、本発明のサイン管理システムは、施設の表示体の管理以外に、道路に設置される交通標識や案内表示、市街地における地番表示、公園・公共施設・病院等における案内標識、その他種々のサイン管理システムに利用することができるものである。
【図面の簡単な説明】
【００１４】
【図１】本発明のサイン管理システムの動作を示すフローチャートである。
【図２】本発明のサイン管理システムを示す機能ブロック説明図である。
【符号の説明】
【００１５】
１  サイン管理システム
２  サインマスターファイル
４  検索プログラム
６  見積書作成プログラム
８  作業指示書作成プログラム
１０  制御部
１２  入出力部
【図１】
2005071257.tif 000003
【図２】
2005071257.tif 000004